(57)【要約】【課題】生産性の低下やコストの上昇を防ぎつつ、裏写りを抑えた出力画像データを生成することができる画像処理方法、画像読取装置及び画像形成装置を提供する。【解決手段】背景板の色を白色及び黒間で切り替える切替ステップと、光源に照射光を照射させる照射ステップと、原稿から反射光を読み取るとともに、背景板から反射光を読み取って、画像データを生成する読取ステップと、画像データを、背景板の色が白色である場合に読み取られた第１画像データと背景板の色が黒色である場合に読み取られた第２画像データとに分割する分割ステップと、第１部分画像データを第１画像データに補完して第１補完画像データを生成するとともに、第２部分画像データを第２画像データに補完して第２補完画像データを生成する補完ステップと、第１補完画像データと第２補完画像データとに基づいて、原稿の出力画像データを生成する生成ステップと、を含む。【選択図】図１１
2015133091.tif 000002
【特許請求の範囲】
【請求項１】
背景部材の色を第１色及び第２色間で切り替える切替ステップと、
光源に照射光を照射させる照射ステップと、
原稿から前記照射光の反射光を読み取るとともに、前記背景部材から前記原稿を透過した前記照射光の反射光を読み取って、画像データを生成する読取ステップと、
前記画像データを、前記背景部材の色が前記第１色である場合に読み取られた第１画像データと前記背景部材の色が前記第２色である場合に読み取られた第２画像データとに分割する分割ステップと、
前記画像データと前記第１画像データとの差分である第１部分画像データを前記第１画像データに補完して第１補完画像データを生成するとともに、前記画像データと前記第２画像データとの差分である第２部分画像データを前記第２画像データに補完して第２補完画像データを生成する補完ステップと、
前記第１補完画像データと前記第２補完画像データとに基づいて、前記原稿の出力画像データを生成する生成ステップと、
を含む画像処理方法。
【請求項２】
前記切替ステップでは、前記第１色と前記第２色とをライン毎に交互に切り替え、
前記読取ステップでは、前記原稿からの前記反射光及び前記背景部材からの前記反射光をライン毎に読み取る請求項１に記載の画像処理方法。
【請求項３】
前記生成ステップでは、前記第１補完画像データと前記第２補完画像データとの差から前記背景部材からの前記反射光の影響を除去するための補正データを生成し、前記第１補完画像データ又は前記第２補完画像データに前記補正データを適用して、前記出力画像データを生成する請求項１又は２に記載の画像処理方法。
【請求項４】
前記生成ステップでは、前記第１補完画像データと前記第２補完画像データとの差に補正係数を乗じて前記補正データを生成する請求項３に記載の画像処理方法。
【請求項５】
前記原稿の厚さを検知する検知ステップを更に含み、
前記生成ステップでは、前記第１補完画像データと前記第２補完画像データとの差に、前記検知された厚さに応じた補正係数を乗じて前記補正データを生成する請求項４に記載の画像処理方法。
【請求項６】
前記補正係数を入力する入力ステップを更に含み、
前記生成ステップでは、前記第１補完画像データと前記第２補完画像データとの差に、前記入力された補正係数を乗じて前記補正データを生成する請求項４に記載の画像処理方法。
【請求項７】
前記第１色は、白色であり、
前記第２色は、黒色であり、
前記生成ステップでは、前記第１補完画像データから前記補正データを差し引いて、前記出力画像データを生成する請求項３〜６のいずれか１つに記載の画像処理方法。
【請求項８】
前記生成ステップでは、前記第１補完画像データと前記第２補完画像データとの差から裏写り成分を求め、当該裏写り成分に基づいて、前記原稿が両面原稿であるか片面原稿であるかを判定し、判定結果に応じた地肌レベルでの地肌除去を前記第１補完画像データ又は前記第２補完画像データに施し、前記出力画像データを生成する請求項１又は２に記載の画像処理方法。
【請求項９】
前記生成ステップでは、前記判定結果に応じた地肌レベルに補正係数を乗じ、当該補正係数を乗じた地肌レベルでの地肌除去を前記第１補完画像データ又は前記第２補完画像データに施す請求項８に記載の画像処理方法。
【請求項１０】
前記原稿の厚さを検知する検知ステップを更に含み、
前記生成ステップでは、前記判定結果に応じた地肌レベルに、前記検知された厚さに応じた補正係数を乗じる請求項９に記載の画像処理方法。
【請求項１１】
前記補正係数を入力する入力ステップを更に含み、
前記生成ステップでは、前記判定結果に応じた地肌レベルに、前記入力された補正係数を乗じる請求項９に記載の画像処理方法。
【請求項１２】
前記第１色は、白色であり、
前記第２色は、黒色であり、
前記生成ステップでは、前記判定結果に応じた地肌レベルでの地肌除去を前記第１補完画像データに施し、前記出力画像データを生成する請求項８〜１１のいずれか１つに記載の画像処理方法。
【請求項１３】
前記照射ステップでは、前記背景部材の色に応じた強度の照射光を前記光源に照射させる請求項１〜１２のいずれか１つに記載の画像処理方法。
【請求項１４】
背景部材の色を第１色及び第２色間で切り替える切替部と、
照射光を照射する光源と、
原稿から前記照射光の反射光を読み取るとともに、前記背景部材から前記原稿を透過した前記照射光の反射光を読み取って、画像データを生成する読取部と、
前記画像データを、前記背景部材の色が前記第１色である場合に読み取られた第１画像データと前記背景部材の色が前記第２色である場合に読み取られた第２画像データとに分割する分割部と、
前記画像データと前記第１画像データとの差分である第１部分画像データを前記第１画像データに補完して第１補完画像データを生成するとともに、前記画像データと前記第２画像データとの差分である第２部分画像データを前記第２画像データに補完して第２補完画像データを生成する補完部と、
前記第１補完画像データと前記第２補完画像データとの差に基づいて、前記原稿の出力画像データを生成する生成部と、
を備える画像読取装置。
【請求項１５】
請求項１４に記載の画像読取装置を備える画像形成装置。
【発明の詳細な説明】
【技術分野】
【０００１】
本発明は、画像処理方法、画像読取装置及び画像形成装置に関する。
【背景技術】
【０００２】
原稿を電気的に読み取って画像データを生成するスキャナなどの画像読取装置において、裏写りを抑えた出力画像データを生成する技術が知られている。
【０００３】
例えば、特許文献１には、反射率の異なる２つの背景板を用いて同一原稿から２つの画像データを生成し、当該２つの画像データの差分から背景板からの反射光の影響を特定し、特定した反射光の影響を一方の画像データから除去することで、裏写りを抑えた出力画像データを生成する技術が開示されている。
【発明の概要】
【発明が解決しようとする課題】
【０００４】
しかしながら、上述したような従来技術では、背景板毎に原稿の読み取りを行う必要があるため、読取機構が１つであれば生産性の低下を招き、読取機構を複数設ければコストの上昇を招いてしまう。
【０００５】
本発明は、上記事情に鑑みてなされたものであり、生産性の低下やコストの上昇を防ぎつつ、裏写りを抑えた出力画像データを生成することができる画像処理方法、画像読取装置及び画像形成装置を提供することを目的とする。
【課題を解決するための手段】
【０００６】
上述した課題を解決し、目的を達成するために、本発明の一態様にかかる画像処理方法は、背景部材の色を第１色及び第２色間で切り替える切替ステップと、光源に照射光を照射させる照射ステップと、原稿から前記照射光の反射光を読み取るとともに、前記背景部材から前記原稿を透過した前記照射光の反射光を読み取って、画像データを生成する読取ステップと、前記画像データを、前記背景部材の色が前記第１色である場合に読み取られた第１画像データと前記背景部材の色が前記第２色である場合に読み取られた第２画像データとに分割する分割ステップと、前記画像データと前記第１画像データとの差分である第１部分画像データを前記第１画像データに補完して第１補完画像データを生成するとともに、前記画像データと前記第２画像データとの差分である第２部分画像データを前記第２画像データに補完して第２補完画像データを生成する補完ステップと、前記第１補完画像データと前記第２補完画像データとに基づいて、前記原稿の出力画像データを生成する生成ステップと、を含む。
【発明の効果】
【０００７】
本発明によれば、生産性の低下やコストの上昇を防ぎつつ、裏写りを抑えた出力画像データを生成することができるという効果を奏する。
【図面の簡単な説明】
【０００８】
【図１】図１は、第１実施形態の画像読取装置の一例を示す摸式図である。
【図２】図２は、第１実施形態の画像読取装置の他の例を示す摸式図である。
【図３】図３は、第１実施形態の画像読取装置の構成の一例を示すブロック図である。
【図４】図４は、第１実施形態の原稿の表面の一例を示す図である。
【図５】図５は、第１実施形態の原稿の裏面の一例を示す図である。
【図６】図６は、第１実施形態の背景板の切り替え例の説明図である。
【図７】図７は、第１実施形態の画像センサにより生成された画像データの一例を示す図である。
【図８】図８は、図７に示す画像データの領域の拡大図である。
【図９】図９は、第１実施形態の第１補完画像データの一例を示す図である。
【図１０】図１０は、第１実施形態の第２補完画像データの一例を示す図である。
【図１１】図１１は、第１実施形態の画像読取装置で実行される処理の一例を示すフローチャート図である。
【図１２】図１２は、変形例１の画像読取装置の構成の一例を示すブロック図である。
【図１３】図１３は、変形例１の補正率テーブルの一例を示す図である。
【図１４】図１４は、変形例２の補正レベル入力画面の一例を示す図である。
【図１５】図１５は、第２実施形態の画像読取装置の構成の一例を示すブロック図である。
【図１６】図１６は、第２実施形態の画像読取装置で実行される処理の一例を示すフローチャート図である。
【図１７】図１７は、各実施形態の画像読取装置を備える複合機の一例を示すブロック図である。
【発明を実施するための形態】
【０００９】
以下、添付図面を参照しながら、本発明にかかる画像処理方法、画像読取装置及び画像形成装置の実施形態を詳細に説明する。
【００１０】
（第１実施形態）
図１は、第１実施形態の画像読取装置１０Ａの一例を示す摸式図であり、図２は、第１実施形態の画像読取装置１０Ｂの他の例を示す摸式図である。なお、以下の説明では、画像読取装置１０Ａ、画像読取装置１０Ｂを各々区別する必要がない場合は、単に画像読取装置１０と称する。
【００１１】
図１に示すように、画像読取装置１０Ａは、搬送ローラ１１、１２と、光源１１１と、背景板１１３と、画像センサ１１５とを、備える。画像読取装置１０Ａでは、搬送ローラ１１、１２が原稿Ｐを矢印ｓ方向に搬送させる。そして、光源１１１が、搬送中の原稿Ｐを照射光で照射し、画像センサ１１５が、原稿Ｐからの照射光の反射光、及び背景板１１３からの原稿Ｐを透過した照射光の反射光を電気的に読み取り、画像データを生成する。
【００１２】
図２に示すように、画像読取装置１０Ｂは、光源１１１及び画像センサ１１５を有する読取機構２３と、背景板１１３とを、備える。画像読取装置１０Ｂでは、読取機構２３が矢印ｔ方向に移動する。そして、光源１１１が、原稿Ｐを照射光で照射し、画像センサ１１５が、原稿Ｐからの照射光の反射光、及び背景板１１３からの原稿Ｐを透過した照射光の反射光を電気的に読み取り、画像データを生成する。
【００１３】
第１実施形態の画像読取装置１０は、画像読取装置１０Ａのように、原稿Ｐを移動させる方式であっても、画像読取装置１０Ｂのように、読取機構２３を移動させる方式であってもよい。
【００１４】
図３は、第１実施形態の画像読取装置１０の構成の一例を示すブロック図であり、図４は、第１実施形態の原稿Ｐの表面の一例を示す図であり、図５は、第１実施形態の原稿Ｐの裏面の一例を示す図である。
【００１５】
図３に示すように、画像読取装置１０は、光源１１１と、背景板１１３（背景部材の一例）と、画像センサ１１５（読取部の一例）と、光源駆動部１１７と、画像処理部１１９と、制御部１２０と、操作表示部１３０とを、備える。制御部１２０は、切替部１２１と、分割部１２３と、補完部１２５と、生成部１２７とを、含む。
【００１６】
図４及び図５に示すように、原稿Ｐは、表面の上部に「表」という漢字が描かれており、裏面の下部に「裏」という漢字が描かれている。このため、原稿Ｐの表面を通常の方式で読み取って画像データを生成した場合、画像データの下部には、「裏」という文字の裏写りが発生し、原稿Ｐの裏面を通常の方式で読み取って画像データを生成した場合、画像データの上部には、「表」という文字の裏写りが発生することがある。第１実施形態では、画像データに生じるこのような裏写りを抑える。
【００１７】
光源１１１は、照射光を照射するものであり、例えば、ランプなどにより実現できる。
【００１８】
光源駆動部１１７は、制御部１２０からの指示に基づいて光源１１１を駆動し、光源１１１に照射光を照射させるものであり、駆動ドライバなどのハードウェアにより実現できる。
【００１９】
背景板１１３は、切替部１２１の制御により第１色及び第２色間で色が切り替え可能となっている。第１実施形態では、第１色が白色、第２色が黒色であるものとするが、これに限定されるものではない。
【００２０】
背景板１１３は、例えば、白色の板の原稿Ｐ側に液晶パネルを重畳したものや、板の原稿Ｐ側に有機ＥＬ（electroluminescence  display）の薄膜を貼り付けたものなどにより実現できる。
【００２１】
切替部１２１は、背景板１１３の色を第１色及び第２色間で切り替える。具体的には、切替部１２１は、第１色と前記第２色とをライン毎に交互に切り替える。つまり第１実施形態では、切替部１２１は、図６に示すように、背景板１１３の色をライン毎に白から黒又は黒から白に切り替える。
【００２２】
なお、背景板１１３が白色の板に液晶パネルを重畳したものである場合、切替部１２１は、液晶パネルの光の透過率を制御することで、背景板１１３を白色及び黒色間で切り替える。また、背景板１１３が板に有機ＥＬの薄膜を貼り付けたものである場合、切替部１２１は、有機ＥＬの発光を制御することで、背景板１１３を白色及び黒色間で切り替える。
【００２３】
画像センサ１１５は、原稿Ｐから照射光の反射光を読み取るとともに、背景板１１３から原稿Ｐを透過した照射光の反射光を読み取って、画像データを生成する。具体的には、画像センサ１１５は、原稿Ｐからの反射光及び背景板１１３からの反射光をライン毎に読み取って、画像データを生成する。つまり第１実施形態では、画像センサ１１５は、背景板１１３の色がライン毎に白色又は黒色に切り替わる状態で、原稿を電子的に読み取って画像データを生成する。
【００２４】
画像センサ１１５は、例えば、ＣＣＤ（Charge  Coupled  Device）イメージセンサやＣＭＯＳ（Complementary  Metal-Oxide  Semiconductor）イメージセンサなどの１ラインずつ原稿を電子的に読み取るラインセンサにより実現できる。
【００２５】
図７は、第１実施形態の画像センサ１１５により生成された画像データの一例を示す図であり、図８は、図７に示す画像データの領域１４０の拡大図である。
【００２６】
一般的に、白い背景板で原稿を読み取った場合、原稿を透過した照射光が白い背景板で反射されて反射光となって画像センサで読み取られるため、原稿の裏面の情報も一定の割合で読み取られる。
【００２７】
一方、黒い背景板で原稿を読み取った場合、原稿を透過した照射光が黒い背景板に吸収されやすい。このため、黒い背景板で原稿を読み取る場合、白い背景板で原稿を読み取る場合に比べ、黒い背景板からの反射光の割合は少なく、原稿の裏面の情報は読み取られにくい。
【００２８】
つまり、白い背景板で原稿を読み取った場合であっても黒い背景板で原稿を読み取った場合であっても、読み取った表面の情報に生じる濃淡の差は小さいが、読み取った裏面の情報に生じる濃淡の差は大きくなる。
【００２９】
このため、図７及び図８に示すように、画像センサ１１５により生成された画像データは、「表」の文字ではライン毎の濃淡の差は小さいが、「裏」の文字ではライン毎の濃淡の差が大きくなっている。
【００３０】
画像処理部１１９は、画像センサ１１５により生成された画像データに読み取りズレなどの読み取り特性に起因する補正処理を施す。但し、画像処理部１１９が施す画像処理は、これに限定されるものではない。
【００３１】
分割部１２３は、画像処理部１１９により画像処理が施された画像データ（画像センサ１１５により生成された画像データ）を、背景板１１３の色が第１色である場合に読み取られた第１画像データと背景板１１３の色が第２色である場合に読み取られた第２画像データとに分割する。
【００３２】
第１実施形態では、前述したように、第１色が白色、第２色が黒色であり、背景板１１３の色は、ライン毎に白から黒又は黒から白に切り替わる。このため第１実施形態では、第１画像データは、背景板１１３の色が白色である場合に読み取られたものであり、第２画像データは、背景板１１３の色が黒色である場合に読み取られたものであり、いずれの画像データも１ラインおきにデータが欠けている。
【００３３】
補完部１２５は、画像処理部１１９により画像処理が施された画像データ（画像センサ１１５により生成された画像データ）と第１画像データとの差分である第１部分画像データを第１画像データに補完して第１補完画像データを生成する。
【００３４】
つまり、第１補完画像データは、背景板１１３の色が白色の状態で原稿Ｐを読み取って生成した画像データと同等の画像データとなる。図９は、第１実施形態の第１補完画像データの一例を示す図である。第１補完画像データは、背景板１１３の色が白色の状態で原稿Ｐを読み取って生成した画像データと同等であるため、下部に「裏」という文字の裏写りが発生している。
【００３５】
同様に、補完部１２５は、画像処理部１１９により画像処理が施された画像データ（画像センサ１１５により生成された画像データ）と第２画像データとの差分である第２部分画像データを第２画像データに補完して第２補完画像データを生成する。
【００３６】
つまり、第２補完画像データは、背景板１１３の色が黒色の状態で原稿Ｐを読み取って生成した画像データと同等の画像データとなる。図１０は、第１実施形態の第２補完画像データの一例を示す図である。第２補完画像データは、背景板１１３の色が黒色の状態で原稿Ｐを読み取って生成した画像データと同等であるため、裏写りが発生していない。
【００３７】
このように、補完部１２５は、第１画像データ及び第２画像データそれぞれに対して、画像処理部１１９により画像処理が施された画像データとの差分のデータを補完し、データ欠けが生じていないものに復元する。なお、補完部１２５は、例えば、２００％拡大の３次元コンボリューション補完など、公知の補完手法を用いて補完を行えばよい。
【００３８】
生成部１２７は、補完部１２５により生成された第１補完画像データと第２補完画像データとに基づいて、原稿Ｐの出力画像データを生成する。具体的には、生成部１２７は、第１補完画像データと第２補完画像データとの差から、背景板１１３からの反射光の影響を除去するための補正データを生成し、第１補完画像データ又は第２補完画像データに補正データを適用して、出力画像データを生成する。例えば、生成部１２７は、第１補完画像データから補正データを差し引いて、出力画像データを生成する。
【００３９】
なお、第１補完画像データと第２補完画像データとに基づいて、原稿Ｐの出力画像データを生成する手法については、特許文献１と同様の手法を用いることができるため、詳細な説明は、省略する。
【００４０】
操作表示部１３０は、制御部１２０に対して各種操作入力を行うとともに、各種画面を表示するものであり、例えば、タッチパネルディスプレイやキースイッチと液晶ディスプレイとの組合せなどにより実現できる。
【００４１】
なお第１実施形態では、制御部１２０が、ＣＰＵ（Central  Processing  Unit）、ＲＯＭ（Read  Only  Memory）、及びＲＡＭ（Random  Access  Memory）などを有する制御装置により実現され、切替部１２１、分割部１２３、補完部１２５、及び生成部１２７をソフトウェアにより実現することを想定して説明したが、これに限定されるものではない。例えば、切替部１２１、分割部１２３、補完部１２５、及び生成部１２７を、ＩＣ（Integrated  Circuit）などのハードウェアにより実現してもよいし、ソフトウェア及びハードウェアを併用して実現してもよい。また例えば、分割部１２３、補完部１２５、及び生成部１２７を、制御部１２０ではなく画像処理部１１９が含むようにしてもよい。
【００４２】
図１１は、第１実施形態の画像読取装置１０で実行される処理の一例を示すフローチャート図である。
【００４３】
まず、光源駆動部１１７は、光源１１１に照射光を照射させる（ステップＳ１０１）。
【００４４】
続いて、切替部１２１は、背景板１１３の色を白から黒又は黒から白に切り替える（ステップＳ１０３）。
【００４５】
続いて、画像センサ１１５は、原稿Ｐからの反射光及び背景板１１３からの反射光を読み取って、ラインデータ（１ライン分の画像データ）を生成する（ステップＳ１０５）。
【００４６】
画像読取装置１０が読み取りを継続するのであれば（ステップＳ１０７でＹｅｓ）、ステップＳ１０３に戻る。
【００４７】
一方、画像読取装置１０が読み取りを終了するのであれば（ステップＳ１０７でＮｏ）、画像処理部１１９は、画像センサ１１５により生成されたラインデータの集合である画像データに画像処理を施す。そして、分割部１２３は、画像処理部１１９により画像処理が施された画像データを、背景板１１３の色が白色である場合に読み取られた第１画像データと背景板１１３の色が黒色である場合に読み取られた第２画像データとに分割する（ステップＳ１０９）。
【００４８】
続いて、補完部１２５は、画像処理部１１９により画像処理が施された画像データと第１画像データとの差分である第１部分画像データを第１画像データに補完するとともに、画像処理部１１９により画像処理が施された画像データと第２画像データとの差分である第２部分画像データを第２画像データに補完する（ステップＳ１１１）。これにより補完部１２５は、第１補完画像データ及び第２補完画像データを生成する（ステップＳ１１３）。
【００４９】
続いて、生成部１２７は、補完部１２５により生成された第１補完画像データと第２補完画像データとの差から、背景板１１３からの反射光の影響を除去するための補正データを生成し、第１補完画像データから補正データを差し引いて、原稿Ｐの出力画像データを生成する（ステップＳ１１５）。
【００５０】
以上のように第１実施形態によれば、背景板１１３の色を切り替えながら原稿を読み取り、読み取った画像データを分割し、データが欠けている部分を補完して、背景板１１３が第１色の場合の第１補完画像データと背景板１１３が第２色の場合の第２補完画像データとを生成し、第１補完画像データ及び第２補完画像データに基づいて、原稿Ｐの出力画像データを生成する。
【００５１】
このように第１実施形態によれば、読取機構を複数設けず、かつ１回の読み取りで、裏写りを抑えた原稿Ｐの出力画像データを生成できるため、生産性の低下やコストの上昇を防ぎつつ、裏写りを抑えた出力画像データを生成することができる。
【００５２】
（変形例）
なお、本発明は、上記第１実施形態に限定されるものではなく、種々の変形が可能である。
【００５３】
（変形例１）
変形例１では、生成部が、第１補完画像データと第２補完画像データとの差に補正係数を乗じて補正データを生成する例について説明する。以下では、第１実施形態との相違点の説明を主に行い、第１実施形態と同様の機能を有する構成要素については、第１実施形態と同様の名称・符号を付し、その説明を省略する。
【００５４】
図１２は、変形例１の画像読取装置１０１０の構成の一例を示すブロック図である。図１２に示すように、変形例１では、画像読取装置１０１０が検知部１１３２を備える点で、第１実施形態と相違する。
【００５５】
検知部１１３２は、原稿Ｐの厚さを検知する。検知部１１３２は、例えば、図示せぬＡＤＦ（Auto  Document  Feeder）などに設けられ、ＡＤＦに載置された原稿Ｐの枚数及び重さを検知したり、原稿Ｐの光の透過率を検知したりすることで、原稿Ｐの厚さを検知する。原稿Ｐの枚数は、原稿Ｐを搬送する際に枚数をカウントすることで検知でき、原稿Ｐの重さは、ＡＤＦに原稿Ｐを載置することで検知できる。なお、原稿Ｐの厚さの検知手法は、これに限定されず、どのような手法を用いてもよい。
【００５６】
生成部１２７は、第１補完画像データと第２補完画像データとの差に、検知された原稿Ｐの厚さに応じた補正率（補正係数の一例）を乗じて補正データを生成する。原稿Ｐの厚さに応じた補正率は、例えば、図１３に示す補正率テーブルのように定義できる。一般的に、原稿Ｐの厚みが薄くなるほど裏写りの量が多くなるため、原稿Ｐの厚みが薄いほど補正率を高くすることが好ましい。
【００５７】
なお、図１３に示す補正率テーブルは、画像読取装置１０１０が備える図示せぬ記憶部に記憶しておき、生成部１２７が参照するようにしてもよいし、図１３に示す補正率テーブルに応じた処理ロジックを生成部１２７が実行するようにしてもよい。
【００５８】
変形例１によれば、精度よく裏写り成分を抽出でき、裏写りをより抑えた原稿Ｐの出力画像データを生成できる。なお、変形例１において、補正率を変動させず、固定させておいてもよい。
【００５９】
（変形例２）
変形例１では、原稿Ｐの厚さで補正率を変動させたが、ユーザからの操作入力で補正率を変動させてもよい。この場合、操作表示部１３０から補正レベル（補正係数の一例）を入力し、生成部１２７は、第１補完画像データと第２補完画像データとの差に、入力された補正レベル（補正係数の一例）を乗じて補正データを生成すればよい。操作表示部１３０は、例えば、図１４に示すような、補正レベル入力画面１５０を表示し、ユーザに、入力欄１５１に補正レベルを入力させ、ＯＫボタン１５２を選択させればよい。
【００６０】
変形例２によれば、ユーザが裏写り除去の度合いを調整できる。
【００６１】
（変形例３）
上記第１実施形態において、光源駆動部１１７は、背景板１１３の色に応じた強度の照射光を光源１１１に照射させるようにしてもよい。上述したように、背景板１１３が黒色の場合、原稿Ｐを透過した照射光が背景板１１３に吸収されやすいので、背景板１１３が白色の場合に比べ、画像センサ１１５に読み取られる光量が少なくなる。
【００６２】
このため、光源駆動部１１７は、背景板１１３が白色の場合であっても黒色の場合であっても画像センサ１１５に読み取られる光量が同量となるように、切替部１２１が背景板１１３の色を白から黒に切り替える場合、光源１１１が照射する照射光の強度を上げるようにしてもよい。
【００６３】
変形例３によれば、精度よく裏写り成分を抽出でき、裏写りをより抑えた原稿Ｐの出力画像データを生成できる。
【００６４】
（第２実施形態）
第２実施形態では、生成部が、第１補完画像データと第２補完画像データとに基づく地肌補正を行って原稿の出力画像データを生成する例について説明する。以下では、第１実施形態との相違点の説明を主に行い、第１実施形態と同様の機能を有する構成要素については、第１実施形態と同様の名称・符号を付し、その説明を省略する。
【００６５】
図１５は、第２実施形態の画像読取装置２０１０の構成の一例を示すブロック図である。図１５に示すように、第２実施形態では、制御部２１２０の生成部２１２７が、第１実施形態と相違する。
【００６６】
生成部２１２７は、第１補完画像データと第２補完画像データとの差から、裏写り成分を求め、当該裏写り成分に基づいて、原稿Ｐが片面原稿か両面原稿かを判定する。例えば、生成部２１２７は、求めた裏写り成分の値が閾値以上であれば両面原稿と判定し、閾値未満であれば、片面原稿と判定する。裏写り成分は、例えば、背景板１１３からの反射光の影響度合いを示す値である。
【００６７】
そして生成部２１２７は、判定結果に応じた地肌レベルでの地肌除去を第１補完画像データ又は第２補完画像データに施し、原稿Ｐの出力画像データを生成する。例えば、生成部２１２７は、判定結果に応じた地肌レベルでの地肌除去を第１補完画像データに施し、原稿Ｐの出力画像データを生成する。
【００６８】
具体的には、生成部２１２７は、両面原稿と判定した場合には、両面原稿用の地肌レベルを選択し、選択した地肌レベルでの地肌除去を第１補完画像データに施し、原稿Ｐの出力画像データを生成する。両面原稿用の地肌レベルは、例えば、裏写り防止用の地肌レベルが挙げられる。
【００６９】
一方、生成部２１２７は、片面原稿と判定した場合には、片面原稿用の地肌レベルを選択し、選択した地肌レベルでの地肌除去を第１補完画像データに施し、原稿Ｐの出力画像データを生成する。片面原稿用の地肌レベルは、裏写りを気にしなくてよいので、例えば、地肌の部分が黒くならず、かつ、ハイライト部分を飛ばし過ぎないように調整された地肌レベルが挙げられる。なお、片面原稿用の地肌レベルでの地肌除去は、両面原稿用の地肌レベルでの地肌除去よりも弱い地肌除去である。
【００７０】
図１６は、第２実施形態の画像読取装置２０１０で実行される処理の一例を示すフローチャート図である。
【００７１】
まず、ステップＳ２０１〜Ｓ２１３までの処理は、図１１に示すフローチャートのステップＳ１０１〜Ｓ１１３までの処理と同様である。
【００７２】
続いて、生成部２１２７は、補完部１２５により生成された第１補完画像データと第２補完画像データとの差から、裏写り成分を算出する（ステップＳ２１５）。
【００７３】
続いて、生成部２１２７は、算出した裏写り成分を用いて、原稿Ｐが片面原稿か両面原稿かを判定する（ステップＳ２１７）。
【００７４】
両面原稿の場合（ステップＳ２１７でＹｅｓ）、生成部２１２７は、両面原稿用の地肌レベルを選択し、選択した地肌レベルでの地肌除去を第１補完画像データ又は第２補完画像データに施し（ステップＳ２１９）、原稿Ｐの出力画像データを生成する（ステップＳ２２３）。
【００７５】
片面原稿の場合（ステップＳ２１７でＮｏ）、生成部２１２７は、片面原稿用の地肌レベルを選択し、選択した地肌レベルでの地肌除去を第１補完画像データ又は第２補完画像データに施し（ステップＳ２２１）、原稿Ｐの出力画像データを生成する（ステップＳ２２３）。
【００７６】
以上のように、第２実施形態によれば、原稿１枚毎に両面原稿か片面原稿かを判別できるため、両面原稿と片面原稿とが混在している場合であっても、両面原稿の場合には裏写りを抑制する地肌除去、片面原稿の場合にはハイライト部分も再現する地肌除去など原稿毎に適切な地肌除去を施した出力画像データを生成することができる。
【００７７】
なお、第２実施形態においても、変形例１〜３の技術思想を適用できる。変形例１を適用する場合、補正データの補正率を地肌レベルの補正率とし、選択した地肌レベルに乗じるようにすればよい。また変形例２を適用する場合、補正データの補正レベルを地肌レベルの補正レベルとし、選択した地肌レベルに乗じるようにすればよい。
【００７８】
（画像形成装置）
上記各実施形態及び各変形例のいずれかの画像読取装置を備えた画像形成装置のハードウェア構成について説明する。ここでは、画像形成装置として、スキャナ機能、複写機能、プリンタ機能、及びファクシミリ機能を有する複合機（ＭＦＰ：Multifunction  Peripheral）を例に取り説明するが、これに限定されるものではなく、例えば複写機などであってもよい。なお複合機は、スキャナ機能、複写機能、プリンタ機能、及びファクシミリ機能を全て有する必要はなく、少なくとも２つの機能を有していればよい。
【００７９】
図１７は、上記各実施形態及び各変形例のいずれかの画像読取装置を備えた複合機のハードウェア構成の一例を示すブロック図である。図１７に示すように、複合機は、コントローラ９１０とエンジン部（Engine）９６０とをＰＣＩ（Peripheral  Component  Interconnect）バスで接続した構成となっている。コントローラ９１０は、複合機全体の制御、描画、通信、及び操作表示部９２０からの入力を制御するコントローラである。エンジン部９６０は、ＰＣＩバスに接続可能なスキャナ、プリンタエンジン、及びファックスユニットなどである。なおプリンタエンジンは、例えば、白黒プロッタ、１ドラムカラープロッタ、又は４ドラムカラープロッタなどである。またエンジン部９６０には、プロッタなどのいわゆるエンジン部分に加えて、誤差拡散やガンマ変換などの画像処理部分が含まれる。
【００８０】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【００８１】
ＣＰＵ９１１は、複合機の全体制御を行うものであり、ＮＢ９１３、ＭＥＭ−Ｐ９１２及びＳＢ９１４からなるチップセットを有し、このチップセットを介して他の機器と接続される。
【００８２】
ＮＢ９１３は、ＣＰＵ９１１とＭＥＭ−Ｐ９１２、ＳＢ９１４、ＡＧＰ９１５とを接続するためのブリッジであり、ＭＥＭ−Ｐ９１２に対する読み書きなどを制御するメモリコントローラと、ＰＣＩマスタおよびＡＧＰターゲットとを有する。
【００８３】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【００８４】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【００８５】
ＡＳＩＣ９１６は、画像処理用のハードウェア要素を有する画像処理用途向けのＩＣ（Integrated  Circuit）であり、ＡＧＰ９１５、ＰＣＩバス、ＨＤＤ９１８及びＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＰＣＩバスを介してＦＣＵ（Fax  Control  Unit）９３０、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【００８６】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【００８７】
ＡＧＰ９１５は、グラフィック処理を高速化するために提案されたグラフィックスアクセラレーターカード用のバスインタフェースであり、ＭＥＭ−Ｐ９１２に高スループットで直接アクセスすることにより、グラフィックスアクセラレーターカードを高速にするものである。
【００８８】
（プログラム）
上記各実施形態及び各変形例の画像読取装置で実行されるプログラムについて説明する。
【００８９】
上記各実施形態及び各変形例の画像読取装置で実行されるプログラムは、ＲＯＭ等に予め組み込まれて提供される。
【００９０】
但し、上記各実施形態及び各変形例の画像読取装置で実行されるプログラムを、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録して提供するように構成してもよい。
【００９１】
また、上記各実施形態及び各変形例の画像読取装置で実行されるプログラムを、インターネット等のネットワークに接続されたコンピュータ上に格納し、ネットワーク経由でダウンロードさせることにより提供するように構成しても良い。また、上記各実施形態及び各変形例の画像読取装置で実行されるプログラムをインターネット等のネットワーク経由で提供または配布するように構成しても良い。
【００９２】
上記各実施形態及び各変形例の画像読取装置で実行されるプログラムは、上述した各部をコンピュータ上で実現させるためのモジュール構成となっている。実際のハードウェアとしてはＣＰＵがプログラムをＲＯＭからＲＡＭ上に読み出して実行することにより、上記各部がコンピュータ上で実現されるようになっている。
【符号の説明】
【００９３】
１０Ａ、１０Ｂ、１０、１０１０、２０１０  画像読取装置
１１、１２  搬送ローラ
２３  読取機構
１１１  光源
１１３  背景板
１１５  画像センサ
１１７  光源駆動部
１１９  画像処理部
１２０、２１２０  制御部
１２１  切替部
１２３  分割部
１２５  補完部
１２７、２１２７  生成部
１３０  操作表示部
１１３２  検知部
Ｐ  原稿
【先行技術文献】
【特許文献】
【００９４】
【特許文献１】特開２００２−２９０７３８号公報
【図１】
2015133091.tif 000003
【図２】
2015133091.tif 000004
【図３】
2015133091.tif 000005
【図４】
2015133091.tif 000006
【図５】
2015133091.tif 000007
【図６】
2015133091.tif 000008
【図７】
2015133091.tif 000009
【図８】
2015133091.tif 000010
【図９】
2015133091.tif 000011
【図１０】
2015133091.tif 000012
【図１１】
2015133091.tif 000013
【図１２】
2015133091.tif 000014
【図１３】
2015133091.tif 000015
【図１４】
2015133091.tif 000016
【図１５】
2015133091.tif 000017
【図１６】
2015133091.tif 000018
【図１７】
2015133091.tif 000019